(57)【要約】  バンドアグリケーション（Band aggregation）をサポートする無線通信システムにおいて、追加バンドのランク数についての制御情報量を削減しつつ、スループットの低下を抑えることができる基地局装置、端末装置及びランク数設定方法を開示する。追加バンドランク数設定部１０８は、マスタバンド及び追加バンドのチャネル行列の固有値分布から、マスタバンドのランク数に応じたチャネル品質を満たす追加バンドのチャネル行列の固有値の数を、ランク数として、マスタバンドの周波数帯及びランク数と、追加バンドの周波数帯とに対応付けて保持するメモリ１０８４を含み、マスタバンドの周波数帯及びランク数の情報と、追加バンドの周波数帯の情報とに対応付けられたランク数をメモリ１０８４から取得し、追加バンドのランク数として設定する。
2010095429.tif 000002
【特許請求の範囲】
【請求項１】
第１バンドと第２バンドとを組み合わせるバンドアグリケーションをサポートする無線通信システムにおける基地局装置であって、
所望のチャネル品質を満たす前記第１バンドのチャネル行列の固有値の数に基づいて、前記第１バンドのランク数を設定する第１の設定手段と、
前記第１バンドの周波数帯及びランク数の情報と、前記第２バンドの周波数帯の情報とに基づいて、前記第２バンドのランク数を設定する第２の設定手段と、を具備し、
前記第２の設定手段は、
前記第１バンド及び前記第２バンドのチャネル行列の固有値分布から、前記第１バンドのランク数に応じたチャネル品質を満たす前記第２バンドのチャネル行列の固有値の数をランク数として、前記第１バンドの周波数帯及びランク数と、前記第２バンドの周波数帯とに対応付けて保持する記憶手段を含み、
前記第１バンドの周波数帯及びランク数の情報と、前記第２バンドの周波数帯の情報とに対応付けられたランク数を前記記憶手段から取得し前記第２バンドのランク数として設定する、
基地局装置。
【請求項２】
移動局装置が前記第１バンド及び前記第２バンドにおいてパワーリミテッド環境か否か判定する判定手段と、
前記判定手段がパワーリミテッド環境と判定した場合に、前記第１バンドと前記第２バンドとの伝搬損失の差を算出する算出手段と、
前記伝搬損失の差に応じて、前記第２バンドのランク数を補正する補正手段と、を含むランク数補正手段を、更に具備する、
請求項１に記載の基地局装置。
【請求項３】
第１バンドと第２バンドとを組み合わせるバンドアグリケーションをサポートする無線通信システムにおける端末装置であって、
所望のチャネル品質を満たす前記第１バンドのチャネル行列の固有値の数に基づいて設定された前記第１バンドのランク数の情報を取得する取得手段と、
所望のチャネル品質を満たす前記第１バンドの周波数帯及びランク数の情報と、前記第２バンドの周波数帯の情報とに基づいて、前記第２バンドのランク数を設定する第２の設定手段と、を具備し、
前記第２の設定手段は、
前記第１バンド及び前記第２バンドのチャネル行列の固有値分布から、前記第１バンドのランク数に応じたチャネル品質を満たす前記第２バンドのチャネル行列の固有値の数を、前記第２バンドのランク数として、前記第１バンドの周波数帯及びランク数と、前記第２バンドの周波数帯とに対応付けて保持する記憶手段を含み、
前記第１バンドの周波数帯及びランク数の情報と、前記第２バンドの周波数帯の情報とに対応付けられた前記第２バンドのランク数を前記記憶手段から取得し設定する、
端末装置。
【請求項４】
移動局装置が前記第１バンド及び前記第２バンドにおいてパワーリミテッド環境か否か判定する判定手段と、
前記判定手段がパワーリミテッド環境と判定した場合に、前記第１バンドと前記第２バンドとの伝搬損失の差を算出する算出手段と、
前記伝搬損失の差に応じて、前記第２バンドのランク数を補正する補正手段と、を含むランク数補正手段を、更に具備する、
請求項３に記載の端末装置。
【請求項５】
第１バンドと第２バンドとを組み合わせるバンドアグリケーションをサポートする無線通信システムにおいて、前記第２バンドのランク数を設定するランク数設定方法であって、
所望のチャネル品質を満たす前記第１バンドのチャネル行列の固有値の数に基づいて設定された前記第１バンドのランク数を取得し、
前記第１バンドのランク数に応じたチャネル品質を満たす前記第２バンドのチャネル行列の固有値の数に基づいて、前記第２バンドのランク数として設定する、
ランク数設定方法。
【発明の詳細な説明】
【技術分野】
【０００１】
本発明は、バンドアグリケーション（Band aggregation）をサポートする無線通信システムにおける基地局装置、端末装置及びランク数設定方法に関する。
【背景技術】
【０００２】
移動無線通信システムにおいて、市場の要求と相まって常に高速伝送化のアプローチが検討されてきている。ＬＴＥ（Long Term Evolution）−Ａｄｖａｎｃｅｄにおいては、下りピークデータレートでは１Ｇｂｐｓ、上りピークデータレートでは５００Ｍｂｐｓの達成が求められている（非特許文献１参照）。そのため、例えば、非特許文献２では、高速ピークデータレート達成のために、更なる広帯域化と更なるマルチアンテナ化が検討されている。【０００３】
更なる広帯域化においては、１００ＭＨｚ帯といった単一バンドで広帯域化を図るよりも、バンド確保の柔軟性を考慮し、複数バンドを組み合わせる広帯域化アプローチが盛んに検討されている。この複数バンドを組み合わせる広帯域化アプローチは、バンドアグリケーションと呼ばれる。以降、バンドアグリケーション前に使用されていたバンドをマスタバンドと呼び、組み合わ（追加）されたバンドを追加バンドと呼ぶ。複数バンドの組み合わせには、図１に示すように、Ｃａｓｅ１）同一キャリア周波数帯内で構成される連続構成と、Ｃａｓｅ２）同一キャリア周波数帯内で構成される非連続構成と、Ｃａｓｅ３）異なるキャリア周波数帯で構成される非連続構成とがある。【０００４】
一方、更なるマルチアンテナ化においては、空間多重数（ランク数）の増加によって高速伝送化を達成するため、下り回線においては最大４レイヤから最大８レイヤへ、上り回線においては１レイヤから最大４レイヤへ対応できるようなマルチアンテナ化がほぼ決定されている状況である。【０００５】
このような背景を受けて、バンドアグリケーションとマルチアンテナ化とを組み合わせ、トータルでシステムのスループットを向上させるための検討も開始されている。【０００６】
しかし、バンドアグリケーションとマルチアンテナ化との組み合わせは、図２に示すように、制御情報のシグナリングがバンド毎に発生し、アンテナ数の増加に対応し制御情報量が増えるため、バンド毎に制御情報量が多いシグナリングを行わなくてはならない。そのため、バンドアグリケーションとマルチアンテナ化との組み合わせは、例えばランク数等の設定パラメータをバンド毎に個別に制御することにより、設定パラメータをバンド毎に最適化することができるものの、シグナリングの増加によりスループットの低下を招くという課題が生じてしまう。このシグナリングの増加は、ＬＴＥ−Ａｄｖａｎｃｅｄ対応端末装置（以下「端末」と略記する）の全てに対して発生するため、トータルで見ると非常に大きな増加となってしまい、広帯域化アプローチにおいて目的としていた、トータルでのシステムスループット向上という効果が得られなくなってしまう。【０００７】
この課題を解決する単純な方法として、「全ての追加バンドで使用するランク数は、マスタバンドで使用するランク数と同じに設定する」と取り決めておく方法が考えられる。このようにすることで、全ての追加バンドにおけるランク数通知のための制御情報を削減することができる。
【先行技術文献】
【非特許文献】
【０００８】
【非特許文献１】3GPP TR 36.913 v1.0.0
【非特許文献２】3GPP TR 36.814 v0.1.1
【非特許文献３】「ディジタル移動通信の電波伝搬基礎」、p.135〜143、コロナ社
【非特許文献４】「新世代ワイヤレス技術」、p.82、丸善株式会社
【非特許文献５】「アレーアンテナブランチ間に相関が存在する場合のＭＩＭＯチャネル相関行列の最大固有値分布推定（The Largest Eigenvalue Characteristics for MIMO Channel with Spatial Correlation）」,IEICE 論文誌B Vol.J86-B No.9 pp1971-1980
【非特許文献６】"Evaluation Model for LTE-Advanced",3GPP R1-083014
【非特許文献７】ETSI, UMTS TR101 112 v3.2.0, “Selection Procedures for the Choice of Radio Transmission Technologies of the UMTS,” 1998-04.
【発明の概要】
【発明が解決しようとする課題】
【０００９】
しかしながら、追加バンドのランク数をマスタバンドのランク数と同じに設定する場合には、スループットの低下を招く恐れがある。なぜなら、バンド毎に伝搬状況が異なるため、設定された追加バンドのランク数が、実際に追加バンドにおいて使える最適なランク数と必ずしも一致するとは限らないからである。【００１０】
具体的には、追加バンドのランク数をマスタバンドのランク数と同じに設定すると、（１）設定された追加バンドのランク数が、実際に使えるランク数よりも多かったり、（２）設定された追加バンドのランク数が、実際に使えるランク数よりも少なかったりする場合が生じる。【００１１】
（１）設定された追加バンドのランク数が、実際に使えるランク数よりも多い場合には、低ＳＮＲ（Signal to Noise Ratio）での伝送によりスループットが低下する。例えば、追加バンド（ｆｃ＝８００ＭＨｚ）ではランク数２が適当であるにも関わらず、追加バンドのランク数をマスタバンドのランク数に揃える前記方法では、マスタバンド（ｆｃ＝３．５ＧＨｚ）におけるランク数が４の場合には、追加バンドにおけるランク数が４となり、低ＳＮＲの不適当な２つのチャネルが使われてデータ伝送されるため、該データの受信性能は悪く、再送の発生確率が非常に高くなり、スループットが低下する。【００１２】
（２）設定された追加バンドのランク数が、実際に使えるランク数よりも少ない場合には、使用可能なチャネルの制限によりスループットが低下する。例えば、追加バンド（ｆｃ＝３．５ＧＨｚ）ではランク数４が適当であるにも関わらず、前記方法では、マスタバンド（ｆｃ＝８００ＭＨｚ）におけるランク数が２の場合には、追加バンドにおけるランク数を２としてデータ伝送されることになるため、本来十分な性能を確保できる他の２つのチャネルを使ったデータ伝送が行われず、スループットが低下してしまう。【００１３】
本発明の目的は、バンドアグリケーションをサポートする無線通信システムにおいて、追加バンドのランク数についての制御情報量を削減しつつ、スループットの低下を抑えることができる基地局装置、端末及びランク数設定方法を提供することである。
【課題を解決するための手段】
【００１４】
本発明の基地局装置は、第１バンドと第２バンドとを組み合わせるバンドアグリケーションをサポートする無線通信システムにおける基地局装置であって、所望のチャネル品質を満たす前記第１バンドのチャネル行列の固有値の数に基づいて、前記第１バンドのランク数を設定する第１の設定手段と、前記第１バンドの周波数帯及びランク数の情報と、前記第２バンドの周波数帯の情報とに基づいて、前記第２バンドのランク数を設定する第２の設定手段と、を具備し、前記第２の設定手段は、前記第１バンド及び前記第２バンドのチャネル行列の固有値分布から、前記第１バンドのランク数に応じたチャネル品質を満たす前記第２バンドのチャネル行列の固有値の数をランク数として、前記第１バンドの周波数帯及びランク数と、前記第２バンドの周波数帯とに対応付けて保持する記憶手段を含み、前記第１バンドの周波数帯及びランク数の情報と、前記第２バンドの周波数帯の情報とに対応付けられたランク数を前記記憶手段から取得し前記第２バンドのランク数として設定する構成を採る。【００１５】
本発明の端末装置は、第１バンドと第２バンドとを組み合わせるバンドアグリケーションをサポートする無線通信システムにおける端末装置であって、所望のチャネル品質を満たす前記第１バンドのチャネル行列の固有値の数に基づいて設定された前記第１バンドのランク数の情報を取得する取得手段と、所望のチャネル品質を満たす前記第１バンドの周波数帯及びランク数の情報と、前記第２バンドの周波数帯の情報とに基づいて、前記第２バンドのランク数を設定する第２の設定手段と、を具備し、前記第２の設定手段は、前記第１バンド及び前記第２バンドのチャネル行列の固有値分布から、前記第１バンドのランク数に応じたチャネル品質を満たす前記第２バンドのチャネル行列の固有値の数を、前記第２バンドのランク数として、前記第１バンドの周波数帯及びランク数と、前記第２バンドの周波数帯とに対応付けて保持する記憶手段を含み、前記第１バンドの周波数帯及びランク数の情報と、前記第２バンドの周波数帯の情報とに対応付けられた前記第２バンドのランク数を前記記憶手段から取得し設定する構成を採る。【００１６】
本発明のランク数設定方法は、第１バンドと第２バンドとを組み合わせるバンドアグリケーションをサポートする無線通信システムにおいて、前記第２バンドのランク数を設定するランク数設定方法であって、所望のチャネル品質を満たす前記第１バンドのチャネル行列の固有値の数に基づいて設定された前記第１バンドのランク数を取得し、前記第１バンドのランク数に応じたチャネル品質を満たす前記第２バンドのチャネル行列の固有値の数に基づいて、前記第２バンドのランク数として設定するようにした。
【発明の効果】
【００１７】
本発明によれば、バンドアグリケーションをサポートする無線通信システムにおいて、追加バンドのランク数についての制御情報量を削減しつつ、スループットの低下を抑えることができる。
【図面の簡単な説明】
【００１８】
【図１】バンドアグリケーション時の複数バンドの組み合わせ例を示す図
【図２】シグナリングの増加を説明するための図
【図３】本発明に係る無線通信システムの概略図を示す図
【図４】本発明の実施の形態１に係る基地局の構成を示すブロック図
【図５】実施の形態１に係る端末の構成を示すブロック図
【図６】バンド毎の固有値分布を示す図
【図７】追加バンドのランク数の設定方法を説明するための図
【図８】追加バンドランク数設定部のメモリに保持されるランク対応表の一例を示す図
【図９】追加バンドランク数設定部の内部構成を示す図
【図１０】本発明の実施の形態２に係る基地局の構成を示すブロック図
【図１１】実施の形態２に係る端末の構成を示すブロック図
【図１２】追加バンドランク数補正部の内部構成を示す図
【図１３】メモリに保持されるＰＬ算出式の一例を示す図
【図１４】追加バンドランク数補正部のＰＬ差・オフセット値算出部により算出されたオフセットの一例を示す図
【図１５】伝搬損失を考慮した場合のバンド毎の固有値分布を示す図
【図１６】追加バンドのランク数の設定方法を説明するための図
【図１７】本発明に係る無線通信システムの別の概略図を示す図
【発明を実施するための形態】
【００１９】
以下、本発明の実施の形態について、図面を参照して詳細に説明する。
【００２０】
図３は、本実施の形態に係る無線通信システムの概略図を示す図である。図３に示すように、無線通信システムは、マクロセルｅＮＢ（基地局装置（以下「基地局」と略記する））と端末（ＵＥ：User Equipment）とを含み、基地局及び端末は、マスタバンド及び追加バンドを用いて送受信する。なお、以下では、マスタバンド及び追加バンドの周波数帯の情報について、基地局及び端末は、既に共有しているとして説明する。マスタバンド及び追加バンドの周波数帯の決定方法としては、例えば、基地局が端末から送信されるチャネル品質測定用参照信号を受信し、受信品質が良好なバンドから優先的にマスタバンド、追加バンドに割り当てる方法等がある。
【００２１】
（実施の形態１）
図４は、本発明の実施の形態１に係る基地局１００の構成を示すブロック図である。
【００２２】
無線受信部１０２−１〜１０２−ｋは、端末装置から送信されるデータ信号及びチャネル品質測定用参照信号（以下「測定用参照信号」と略記する）をアンテナ１０１−１〜１０１−ｋを介して受信する（ｋは２以上の整数）。無線受信部１０２〜１０２−ｋは、受信した信号に対し、帯域制限、ダウンコンバート、Ａ／Ｄ（Analog to Digital）変換等の無線受信処理を施すことにより、ベースバンド信号に変換し、ベースバンド信号のうち、測定用参照信号をチャネル推定部１０３に出力し、データ信号をＭＩＭＯ（Multiple Input Multiple Output）復調部１０４に出力する。なお、測定用参照信号は、後述の端末からマスタバンド及び追加バンドの双方の周波数帯で送信される。
【００２３】
チャネル推定部１０３は、マスタバンドで送信された測定用参照信号を用いて、各送受信アンテナ間のチャネル行列を推定し、推定したチャネル行列の固有値を算出する。なお、チャネル行列とは、送信アンテナ及び受信アンテナ間のチャネル利得の行列である。また、チャネル行列の固有値とは、チャネル行列をＨと表した場合に、ＨＨ＊（上付き文字＊は、複素共約転置演算を示す）又はＨ＊Ｈの固有値である。ここで、チャネル行列の固有値の数は、空間多重数（ランク数）の最大値に相当する。チャネル推定部１０３は、マスタバンドのチャネル行列の固有値を、マスタバンドランク数設定部１０６に出力する。
【００２４】
ＭＩＭＯ復調部１０４は、データ信号を空間分離し、分離後のデータ信号を復調し、復調後のデータ信号を復号し、復号データをＰ／Ｓ（parallel serial）変換部１０５に出力する。
【００２５】
Ｐ／Ｓ変換部１０５は、復号データをＰ／Ｓ変換して受信データとして出力する。
【００２６】
マスタバンドランク数設定部１０６は、マスタバンドのチャネル行列の固有値に応じて、マスタバンドのランク数を設定する。上述したように、チャネル行列の固有値の数は、空間多重数（ランク数）の最大値に相当する。また、非特許文献３によれば、「固有値はＭＩＭＯ空間分離した各チャネル利得に比例する」ことが知られている。すなわち、固有値の大きさは、チャネル品質を表す指標となる。そこで、マスタバンドランク数設定部１０６は、所望のチャネル品質を満たす固有値の数をマスタバンドの上りデータ送信時のランク数（以下「マスタバンドのランク数」という）に設定する。マスタバンドランク数設定部１０６は、設定したマスタバンドのランク数の情報を、フィードバック情報生成部１０７、追加バンドランク数設定部１０８及び多重系列制御部１０９に出力する。
【００２７】
フィードバック情報生成部１０７は、マスタバンドのランク数の情報を含めたフィードバック情報を生成し、生成したフィードバック情報を多重系列制御部１０９に出力する。
【００２８】
追加バンドランク数設定部１０８はマスタバンドの周波数帯及びランク数と、追加バンドの周波数帯とを用いて、追加バンドの上りデータ送信時のランク数（以下「追加バンドのランク数」という）を設定する。なお、追加バンドランク数設定部１０８の詳細について後述する。追加バンドランク数設定部１０８は、設定した追加バンドのランク数の情報を、多重系列制御部１０９に出力する。
【００２９】
多重系列制御部１０９は、マスタバンド及び追加バンドのランク数に応じて、送信データを複数系列に分配し、ＭＩＭＯ変調部１１０に出力する。なお、多重系列制御部１０９は、フィードバック情報生成部１０７から入力されるマスタバンドのランク数の情報を含むフィードバック情報が、マスタバンドで送信されるよう制御する。
【００３０】
ＭＩＭＯ変調部１１０は、入力される送信データ及びフィードバック情報を符号化、変調し、変調シンボルを生成する。また、ＭＩＭＯ変調部１１０は、変調シンボルを多重し送信ストリームを生成し、生成した送信ストリームを無線送信部１１１−１〜１１１−ｋに出力する。
【００３１】
無線送信部１１１−１〜１１１−ｋは、送信ストリームに対し、Ｄ／Ａ（Digital to Analog）変換、アップコンバート、帯域制限等の無線送信処理を施し、アンテナ１０１−１〜１０１−ｋから送信する。
【００３２】
図５は、本発明の実施の形態１に係る端末２００の構成を示すブロック図である。
【００３３】
無線受信部２０２−１〜２０２−ｋは、対応するアンテナ２０１−１〜２０１−ｋを介して受信した信号に対し、帯域制限、ダウンコンバート、Ａ／Ｄ（Analog to Digital）変換等の無線受信処理を施すことにより、ベースバンド信号に変換し、ベースバンド信号のうちデータ信号をＭＩＭＯ復調部２０３に出力し、フィードバック情報を制御情報取得部２０５に出力する。フィードバック情報には、基地局から通知されるマスタバンドのランク数の情報が含まれている。
【００３４】
ＭＩＭＯ復調部２０３は、データ信号を空間分離し、分離後のデータ信号を復調し、復調後のデータ信号を復号し、復号データをＰ／Ｓ変換部２０４に出力する。
【００３５】
Ｐ／Ｓ変換部２０４は、復号データをＰ／Ｓ変換して受信データとして出力する。
【００３６】
制御情報取得部２０５は、フィードバック情報からマスタバンドのランク数の情報を取得し、マスタバンドのランク数の情報を追加バンドランク数設定部２０６に出力する。
【００３７】
追加バンドランク数設定部２０６は、追加バンドランク数設定部１０８と同様に、マスタバンドの周波数帯及びランク数と、追加バンドの周波数帯とを用いて、追加バンドの上りデータ送信時のランク数（追加バンドのランク数）を設定する。なお、追加バンドランク数設定部２０６の詳細について後述する。追加バンドランク数設定部２０６は、設定した追加バンドのランク数の情報を、多重系列制御部２０７に出力する。
【００３８】
多重系列制御部２０７は、マスタバンド及び追加バンドのランク数に応じて、送信データを複数系列に分配し、ＭＩＭＯ変調部２０８に出力する。
【００３９】
ＭＩＭＯ変調部２０８は、入力される送信データ及び測定用参照信号を符号化、変調し、変調シンボルを生成する。また、ＭＩＭＯ変調部２０８は、変調シンボルを多重し送信ストリームを生成し、生成した送信ストリームを無線送信部２０９−１〜２０９−ｋに出力する。
【００４０】
無線送信部２０９−１〜２０９−ｋは、送信ストリームに対し、Ｄ／Ａ変換、アップコンバート、帯域制限等の無線送信処理を施し、アンテナ２０１−１〜２０１−ｋから送信する。
【００４１】
次に、上述した追加バンドランク数設定部１０８及び追加バンドランク数設定部２０６の詳細について説明する。
【００４２】
非特許文献４によれば、「空間相関がある場合は無い場合に比較して、第１固有値が卓越し、第２固有値以下は相対的に小さくなる」とし、空間相関の有無による固有値分布が図示されている。
【００４３】
また、非特許文献５には、空間相関の大きさに応じて固有値分布が異なることが図示されている。ここで、マクロセルｅＮＢにおける空間相関の大きさは、非特許文献３によれば、周波数に依存することが分かるので、バンド毎に決まった固有値分布があるといえる。
【００４４】
図６に、バンド毎の固有値分布の一例を示す。図６には、８００ＭＨｚ、２．０ＧＨｚ、３．５ＧＨｚ帯における固有値が示されている。図６において、縦軸は固有値の大きさを示し、横軸は、周波数帯を示している。また、λ１、λ２、λ３、λ４は、各固有値を示し、図６は、各バンドにおける４つの固有値の分布を示している。図６から分かるように、８００ＭＨｚ、２．０ＧＨｚ、３．５ＧＨｚ帯における固有値分布は、それぞれ異なっている。これは、バンド異にチャネル相関の大きさが異なるからである。
【００４５】
また、非特許文献３によれば、「固有値はＭＩＭＯ空間分離した各チャネル利得に比例する」ことが知られている。すなわち、固有値の大きさは、チャネル品質を表す指標となる。したがって、「所望のチャネル品質を満たす固有値の数」を、「使えるランク数」と定義すると、バンド毎に決まった固有値分布があるので、あるチャネル品質を満たす固有値の数（使えるランク数）はバンド毎に決まるといえる。
【００４６】
図７の固有値分布を用いて具体例を説明する。図７の固有値分布は、図６に示したバンド毎の固有値分布と同様である。図７において、マスタバンドが８００ＭＨｚ帯の場合に、使っているランク数が２の場合について考える。マスタバンドが８００ＭＨｚ帯において、使っているランク数が２ということは、換言すると、所望のチャネル品質を満たす固有値がλ１とλ２の２つであると言える。すなわち、所望のチャネル品質を満たす固有値の数が２であると言いる。マスタバンドが８００ＭＨｚ帯の場合に、固有値の数が２となる固有値の閾値λ＿Ｔｈを図７に示す。このとき、他のバンドにおいても、固有値が閾値λ＿Ｔｈ以上であれば、マスタバンドにおけるチャネル品質と同程度のチャネル品質を満たすことができる。具体的には、２．０ＧＨｚ帯において、マスタバンドにおける同程度のチャネル品質を満たす固有値は、λ１、λ２、λ３であり、マスタバンドにおける同程度のチャネル品質を満たす固有値の数は３である。また、３．５ＧＨｚ帯において、マスタバンドにおける同程度のチャネル品質を満たす固有値は、λ１、λ２、λ３、λ４であり、マスタバンドにおける同程度のチャネル品質を満たす固有値の数は４である。
【００４７】
図８にマスタバンドのランク数と追加バンドのランク数との対応表（以下「ランク対応表」という）を示す。図８は、各バンドにおける固有値分布が図６に示したような分布である場合のランク対応表である。上述したように、マスタバンドが８００ＭＨｚ帯であり、使っているランク数が２、つまり、所望のチャネル品質を満たす固有値の数が２の場合、マスタバンドのチャネル品質は、図７に示した閾値λ＿Ｔｈ付近であると予想される。閾値λ＿Ｔｈと他のバンドの固有値分布とから、追加バンド２．０ＧＨｚ帯では、固有値がλ１、λ２、λ３の場合には、追加バンドにおいても、マスタバンドと同程度のチャネル品質を得ることができると分かる。同様に、追加バンド３．５ＧＨｚ帯での固有値がλ１、λ２、λ３、λ４の場合には、追加バンドにおいても、マスタバンドと同程度のチャネル品質を得ることができると分かる。
【００４８】
図８は、各バンドの固有値分布が図７に示すような関係にある場合に、マスタバンドのチャネル品質と同程度のチャネル品質を確保することができる追加バンドの固有値の数を、追加バンドのランク数に設定した例である。すなわち、マスタバンドが８００ＭＨｚ帯であり、使っているランク数が２の場合、追加バンド２．０ＧＨｚ帯においてマスタバンドと同程度のチャネル品質を得ることができる固有値は、λ１、λ２、λ３の３個であるので、追加バンド２．０ＧＨｚ帯に対してはランク数３が対応付けられている。同様に、追加バンド３．５ＧＨｚ帯においてマスタバンドと同程度のチャネル品質を得ることができる固有値は、λ１、λ２、λ３、λ４の４個であるので、追加バンド３．５ＧＨｚ帯に対してはランク数４が対応付けられている。
【００４９】
このようにして、図８のように、マスタバンドのチャネル品質と同程度のチャネル品質を確保することができる追加バンドの固有値の数を、追加バンドのランク数に設定し、マスタバンドのランク数と追加バンドのランク数とのランク対応表を生成する。これにより、基地局及び端末は、マスタバンドの周波数帯及びランク数、追加バンドの周波数帯の情報を用いて、ランク対応表から、マスタバンドと同程度のチャネル品質を満たす追加バンドのランク数を、精度良く設定することが出来る。
【００５０】
なお、基地局１００と端末２００と間の通信確立時に、基地局１００が上記ランク対応表を端末２００に通知する等により、予め上記ランク対応表を基地局１００と端末２００とが共有するようにする。
【００５１】
次に、追加バンドランク数設定部１０８及び追加バンドランク数設定部２０６の内部構成について説明する。追加バンドランク数設定部２０６は、追加バンドランク数設定部１０８と同様であるため、以下では、追加バンドランク数設定部１０８について説明する。  
【００５２】
図９は、追加バンドランク数設定部１０８の内部構成を示すブロック図である。
【００５３】
バンド判定部１０８１は、マスタバンドの周波数帯を入力とし、マスタバンドの周波数帯に応じて、対応番号をアドレス生成部１０８３に出力する。バンド判定部１０８２は、追加バンドの周波数帯を入力とし、追加バンドの周波数帯に応じて、対応番号をアドレス生成部１０８３に出力する。
【００５４】
アドレス生成部１０８３は、マスタバンドの対応番号、追加バンドの対応番号及びマスタバンドのランク数から、図８のランク対応表におけるアドレスを生成し、生成したアドレスをメモリ１０８４に出力する。メモリ１０８４は、入力されたアドレスに対応する追加バンドのランク数をランク対応表から取得し出力する。このようにして、追加バンドランク数設定部１０８は、追加バンドのランク数を設定する。
【００５５】
例えば、マスタバンドが８００ＭＨｚ帯の場合、バンド判定部１０８１は、対応番号として“１”を出力し、追加バンドが２．０ＧＨｚ帯の場合、バンド判定部１０８２は、対応番号として“２”を出力する。したがって、マスタバンドのランク数が２の場合、アドレス生成部１０８３は、アドレスとして“１２２”を生成する。そして、追加バンドランク数設定部１０８は、メモリ１０８４内に格納される図９のアドレス“１２２”に対応する“３”を追加バンドのランク数に設定する。
【００５６】
このようにして、追加バンドランク数設定部１０８は、マスタバンドが８００ＭＨｚ帯であり、マスタバンドのランク数が２の場合、追加バンドが２．０ＧＨｚ帯の場合には使えるランク数を３と設定し、３．５ＧＨｚ帯の場合には使えるランク数を４と設定する。
【００５７】
以上のように、本実施の形態では、基地局１００は、所望のチャネル品質を満たすマスタバンドのチャネル行列の固有値の数に基づいて、前記マスタバンドのランク数を設定するマスタバンドランク数設定部１０６と、マスタバンドの周波数帯及びランク数の情報と、追加バンドの周波数帯の情報とに基づいて、追加バンドのランク数を設定する追加バンドランク数設定部１０８と、を具備し、追加バンドランク数設定部１０８は、マスタバンド及び追加バンドのチャネル行列の固有値分布から、マスタバンドのランク数に応じたチャネル品質を満たす追加バンドのチャネル行列の固有値の数を、ランク数として、マスタバンドの周波数帯及びランク数と、追加バンドの周波数帯とに対応付けて保持するメモリ１０８４を含み、マスタバンドの周波数帯及びランク数の情報と、追加バンドの周波数帯の情報とに対応付けられたランク数をメモリ１０８４から取得し、追加バンドのランク数として設定するようにした。
【００５８】
また、端末２００は、所望のチャネル品質を満たすマスタバンドのチャネル行列の固有値の数に基づいて設定されたマスタバンドのランク数の情報を取得する制御情報取得部２０５と、マスタバンドの周波数帯及びランク数の情報と、追加バンドの周波数帯の情報とに基づいて、追加バンドのランク数を設定する追加バンドランク数設定部２０６と、を具備し、追加バンドランク数設定部２０６は、マスタバンド及び追加バンドのチャネル行列の固有値分布から、マスタバンドのランク数に応じたチャネル品質を満たす追加バンドのチャネル行列の固有値の数を、ランク数として、マスタバンドの周波数帯及びランク数と、追加バンドの周波数帯とに対応付けて保持するメモリ１０８４を含み、マスタバンドの周波数帯及びランク数の情報と、追加バンドの周波数帯の情報とに対応付けられたランク数をメモリ１０８４から取得し、追加バンドのランク数として設定するようにした。
【００５９】
これにより、基地局１００は、端末２００に、追加バンドのランク数の情報を通知せずとも、端末２００は、追加バンドに最適なランク数を設定することができるので、バンドアグリケーション時における制御情報量を削減しつつ、追加バンドにおけるスループットを向上させることができる。
【００６０】
（実施の形態２）
実施の形態１では、バンド毎にチャネル行列の固有値分布が存在し、あるチャネル品質を満たす固有値の数（使えるランク数）はバンド毎に異なるという特徴に着目し、追加バンドランク数設定部１０８（２０６）は、マスタバンドの周波数帯及びランク数と、追加バンドの周波数帯とを用いて、追加バンドのランク数を設定するようにした。
【００６１】
ところで、非特許文献６又は非特許文献７等には、ＰＬ（Pass Loss：伝搬損失、パスロス）式が記載されており、これらＰＬ式より、「周波数が高いほど伝搬損失が大きい」ということが知られている。つまり、同じ送信電力で送信した場合には、周波数が高いほど受信端での受信パワーは小さくなり、これは等価的に、周波数が高いほどチャネル品質が低下するとみなせる。したがって、伝搬損失を考慮すると、周波数が高いほど伝搬損失が大きく、チャネル品質が低下するため、固有値分布は周波数が高いほど全体的に小さい値にシフトする。
【００６２】
本実施の形態では、伝搬損失を考慮した固有値分布に従って、追加バンドのランク数を設定する場合について説明する。
【００６３】
図１０は、本実施の形態に係る基地局３００の要部構成を示すブロック図である。なお、図１０の本実施の形態に係る端末において、図４と共通する構成部分には、図４と同一の符号を付して説明を省略する。図１０は、図４に対して、多重系列制御部１０９に代えて多重系列制御部１０９Ａを備え、パワー制御値設定部３０１及び追加バンドランク数補正部３０２を追加した構成を採る。
【００６４】
パワー制御値設定部３０１は、後述の端末から通知されるマスタバンド及び追加バンドのＰＨＲ（Power Head Room）の情報を取得する。ここで、ＰＨＲとは、端末の現在の送信電力と最大送信電力との差であり、ＰＨＲが小さいほど、端末がパワーリミテッド環境にあることを示す。パワーリミテッド環境とは、端末が、最大送信電力に近い状況で送信しており、送信電力余裕度がないような環境をいう。
【００６５】
パワー制御値設定部３０１は、マスタバンド及び追加バンドにおける受信信号の信号電力、及び、マスタバンド及び追加バンドのＰＨＲを用いて、端末のマスタバンドのパワー制御値及び追加バンドのパワー制御値を設定する。パワー制御値設定部３０１は、設定したこれらパワー制御値の情報を多重系列制御部１０９Ａに出力する。また、パワー制御値設定部３０１は、取得したマスタバンド及び追加バンドのＰＨＲを、追加バンドランク数補正部３０２に出力する。
【００６６】
多重系列制御部１０９Ａは、多重系列制御部１０９の動作に加え、マスタバンドのパワー制御値の情報がマスタバンドで送信されるよう制御し、追加バンドのパワー制御値の情報が追加バンドで送信されるよう制御する。
【００６７】
追加バンドランク数補正部３０２は、追加バンドのランク数を補正する。なお、追加バンドランク数補正部３０２の詳細については、後述する。
【００６８】
図１１は、本実施の形態に係る端末４００の要部構成を示すブロック図である。なお、図１１の本実施の形態に係る端末において、図５と共通する構成部分には、図５と同一の符号を付して説明を省略する。図１１は、図５に対して、制御情報取得部２０５及び多重系列制御部２０７に代えて制御情報取得部２０５Ａ及び多重系列制御部２０７Ａを備え、ＰＨＲ算出部４０１及び追加バンドランク数補正部４０２を追加した構成を採る。
【００６９】
制御情報取得部２０５Ａは、基地局３００から通知されるパワー制御値を取得し、取得したパワー制御値をＰＨＲ算出部４０１に出力する。
【００７０】
ＰＨＲ算出部４０１は、パワー制御値に応じて、マスタバンドのＰＨＲ及び追加バンドのＰＨＲを算出する。ＰＨＲ算出部４０１は、算出したマスタバンドのＰＨＲ及び追加バンドのＰＨＲの情報を多重系列制御部２０７Ａ及び追加バンドランク数補正部４０２に出力する。
【００７１】
多重系列制御部２０７Ａは、多重系列制御部２０７の動作に加え、マスタバンドのＰＨＲをマスタバンドで送信し、追加バンドのＰＨＲの情報を追加バンドで送信するよう制御する。
【００７２】
追加バンドランク数補正部４０２は、追加バンドのランク数を補正する。なお、追加バンドランク数補正部４０２は、追加バンドランク数補正部３０２と同様の構成を採る。以下に、追加バンドランク数補正部３０２及び追加バンドランク数補正部４０２の内部構成及び動作について説明する。追加バンドランク数補正部４０２の内部構成及び動作は、追加バンドランク数補正部３０２と同様であるため、以下では、追加バンドランク数補正部３０２について説明する。
【００７３】
図１２に、追加バンドランク数補正部３０２の内部構成を示す。
【００７４】
パワーリミテッド環境判定部３０２１は、マスタバンドのＰＨＲ及び追加バンドのＰＨＲを入力とし、端末４００がパワーリミテッド環境であるか否かを判定する。具体的には、パワーリミテッド環境判定部３０２１は、マスタバンドのＰＨＲ及び追加バンドのＰＨＲを所定の閾値と比較し、マスタバンドのＰＨＲ及び追加バンドのＰＨＲのうちいずれかひとつでも所定の閾値以下の場合、端末４００がパワーリミテッド環境であると判定する。パワーリミテッド環境判定部３０２１は、判定結果をＰＬ差・オフセット値算出部３０２２に出力する。
【００７５】
ＰＬ差・オフセット値算出部３０２２は、マスタバンドの周波数帯、追加バンドの周波数帯、及び、パワーリミテッド環境判定部３０２１の判定結果を入力とし、判定結果がパワーリミテッド環境を示す場合、メモリ３０２３に保持されているＰＬ算出式を用いて、マスタバンドに対する追加バンドの相対的なＰＬ差（ΔＰＬ）を算出する。メモリ３０２３に保持されるＰＬ算出式の一例を図１３に示す。
【００７６】
更に、ＰＬ差・オフセット値算出部３０２２は、算出したＰＬ差（ΔＰＬ）と内部に保持するランク対応表とを用いて、追加バンドのランク数を補正するためのオフセットを算出する。ＰＬ差（ΔＰＬ）からオフセットへの変換は、例えば、以下のように、ＰＬ差（ΔＰＬ）が大きいほどオフセットが大きくなるようにする。
｜ΔＰＬ｜≧１５．０ｄＢ        ⇒  オフセット＝３
１５．０｜ΔＰＬ｜≧８．０ｄＢ  ⇒  オフセット＝２
８．０＞｜ΔＰＬ｜≧３．０ｄＢ  ⇒  オフセット＝１
３．０＞｜ΔＰＬ｜≧０．０ｄＢ  ⇒  オフセット＝０
【００７７】
このようにしてＰＬ差・オフセット値算出部３０２２により算出されたオフセットの一例を、図１４に示す。なお、図１４は、追加バンドの周波数帯がマスタバンドの周波数帯より高い場合にのみ、オフセットが設定された例である。追加バンドの周波数帯がマスタバンドの周波数帯より高い場合には、追加バンドランク数設定部１０８（２０６）は、追加バンドの伝搬損失より伝搬損失が小さいマスタバンドのランク数を用いて、追加バンドのランク数を設定するため、追加バンドのランク数が実際に使えるランク数よりも大きく設定されてしまう可能性がある。したがって、図１４に示すように、追加バンドの周波数帯がマスタバンドの周波数帯より高い場合のみオフセットを用いて、追加バンドランク数設定部１０８（２０６）によって設定された追加バンドのランク数を減らすような補正をすることにより、追加バンドにおいて、低ＳＮＲの不適当なチャネルが使われてデータ伝送されるのを回避することができ、再送を防止し、スループットの低下を抑えることができるようになる。
【００７８】
一方、追加バンドの周波数帯がマスタバンドの周波数帯よりも低い場合には、追加バンドランク数設定部１０８（２０６）は、追加バンドの伝搬損失より伝搬損失が大きいマスタバンドのランク数を用いて、追加バンドのランク数を設定するため、追加バンドのランク数が実際に使えるランク数よりも小さく設定されてしまう可能性がある。したがって、追加バンドランク数設定部１０８（２０６）によって設定された追加バンドのランク数を増やすような補正をすることにより、使えるチャネルを最大限に利用することができる可能性がある一方、ランク数を増やしたことにより、低ＳＮＲの不適当な悪いチャネルが使われる可能性もある。そのため、本実施の形態では、図１４に示すように、追加バンドの周波数帯がマスタバンドの周波数帯より低い場合には、オフセットを設定しないようにした。これにより、実際には使えるチャネルがまだある場合には、スループットが低下してしまうものの、低ＳＮＲの不適当なチャネルが使われてデータ伝送されるのを確実に回避し、再送を防止することができる。
【００７９】
ＰＬ差・オフセット値算出部３０２２は、算出したオフセット値を補正部３０２４に出力する。
【００８０】
なお、パワーリミテッド環境判定部３０２１の判定結果がパワーリミテッド環境でないことを示す場合、ＰＬ差・オフセット値算出部３０２２は、オフセット値として０を補正部３０２４に出力する。
【００８１】
補正部３０２４は、オフセット値及び追加バンドランク数設定部２０６において設定された追加バンドのランク数を入力とし、追加バンドランク数からオフセット値分だけ減算することにより、追加バンドのランク数を補正する。更に、補正部３０２４は、式（１）を用いて、最終的なランク数を算出し、算出した最終的なランク数を追加バンドのランク数として多重系列制御部２０７Ａに出力する。
【００８２】
最終的なランク数＝Ｍａｘ｛補正後のランク数，１｝…（１）なお、式（１）において、Ｍａｘ｛ａ，ｂ｝は、ａとｂのうち大きい値を返す関数である。
【００８３】
このようにして、伝搬損失を考慮して、追加バンドのランク数を補正することにより、チャネル行列の固有値分布は、図１５のように、周波数が高いほど固有値が小さい値に分布するように補正されることになる。この結果、マスタバンドが８００ＭＨｚ帯であり、マスタバンドのランク数が２の場合に、伝搬損失を考慮しない場合には、追加バンド３．５ＧＨｚ帯において、マスタバンドと同程度のチャネル品質を満たす固有値は、λ１、λ２、λ３、λ４の４個であったのに対し、伝搬損失を考慮し固有値分布を補正することにより、図１６に示すように、マスタバンドと同程度のチャネル品質を満たす固有値は、λ１、λ２の２個となる。これにより、追加バンド３．５ＧＨｚ帯のランク数は２となるので、不適当な（低ＳＮＲである）チャネルが使われてデータ伝送されるのを回避することができ、再送を防止し、スループットの低下を抑えることができるようになる。
【００８４】
以上のように、本実施の形態によれば、追加バンドランク数補正部３０２（４０２）は、端末４００がマスタバンド及び追加バンドにおいてパワーリミテッド環境か否か判定するパワーリミテッド環境判定部３０２１と、ＰＬ差・オフセット値算出部３０２２は、パワーリミテッド環境判定部３０２１がパワーリミテッド環境と判定した場合に、マスタバンドと追加バンドとの伝搬損失の差を算出し、補正部３０２４は、伝搬損失の差に応じて、追加バンドのランク数を補正するようにした。
【００８５】
このように、本実施の形態では、マスタバンドと追加バンドとの伝搬損失の差を考慮して、マスタバンドの周波数帯及びランク数と追加バンドの周波数帯とを用いて設定された追加バンドのランク数を補正することができるので、追加バンドにおいて、不適当な（低ＳＮＲである）チャネルが使われてデータ伝送されるのを回避することができ、再送を防止し、スループットの低下を抑えることができるようになる。
【００８６】
なお、以上の説明では、マクロセルｅＮＢ対端末におけるバンドアグリケーション（Band aggregation）時の追加バンドのランク数を暗黙的に通知する方法について説明したが、追加バンドのランク数に限られず、図１７に示すように、複数局対端末における、従局のランク数を暗黙的に通知する方法に、本発明を適用することもできる。
【００８７】
また、バンドアグリケーション（Band aggregation）は、キャリアアグリケーション（Carrier Aggregation）と呼ばれることもある。
【００８８】
また、上記実施の形態ではアンテナとして説明したが、本発明はアンテナポート（antenna port）でも同様に適用できる。
【００８９】
アンテナポートとは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【００９０】
例えば３ＧＰＰ  ＬＴＥにおいては、アンテナポートが何本の物理アンテナから構成されるかは規定されず、基地局が異なる参照信号（Reference signal）を送信できる最小単位として規定されている。
【００９１】
また、アンテナポートはプリコーディングベクトル（Precoding vector）の重み付けを乗算する最小単位として規定されることもある。
【００９２】
また、上記実施の形態では、本発明をハードウェアで構成する場合を例にとって説明したが、本発明はソフトウェアで実現することも可能である。
【００９３】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００９４】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【００９５】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【００９６】
２００９年２月１８日出願の特願２００９−０３５６１６に含まれる明細書、図面及び要約書の開示内容は、すべて本願に援用される。
【産業上の利用可能性】
【００９７】
本発明は、バンドアグリケーションをサポートする無線通信システムにおける基地局装置、端末装置及びランク数設定方法等として有用である。
【符号の説明】
【００９８】
１００、３００  基地局
１０１−１〜１０１−ｋ、２０１−１〜２０１−ｋ  アンテナ
１０２〜１０２−ｋ、２０２−１〜２０２−ｋ  無線受信部
１０３  チャネル推定部
１０４、２０３  ＭＩＭＯ復調部
１０５、２０４  Ｐ／Ｓ変換部
１０６  マスタバンドランク数設定部
１０７  フィードバック情報生成部
１０８、２０６  追加バンドランク数設定部
１０９、１０９Ａ、２０７、２０７Ａ  多重系列制御部
１１０、２０８  ＭＩＭＯ変調部
１１１−１〜１１１−ｋ、２０９−１〜２０９−ｋ  無線送信部
１０８１、１０８２  バンド判定部
１０８３  アドレス生成部
１０８４、３０２３  メモリ
２００、４００  端末
２０５、２０５Ａ  制御情報取得部
３０１  パワー制御値設定部
３０２  追加バンドランク数補正部
４０１  ＰＨＲ算出部
４０２  追加バンドランク数補正部
３０２１  パワーリミテッド環境判定部
３０２２  ＰＬ差・オフセット値算出部
３０２４  補正部
【図１】
2010095429.tif 000003
【図２】
2010095429.tif 000004
【図３】
2010095429.tif 000005
【図４】
2010095429.tif 000006
【図５】
2010095429.tif 000007
【図６】
2010095429.tif 000008
【図７】
2010095429.tif 000009
【図８】
2010095429.tif 000010
【図９】
2010095429.tif 000011
【図１０】
2010095429.tif 000012
【図１１】
2010095429.tif 000013
【図１２】
2010095429.tif 000014
【図１３】
2010095429.tif 000015
【図１４】
2010095429.tif 000016
【図１５】
2010095429.tif 000017
【図１６】
2010095429.tif 000018
【図１７】
2010095429.tif 000019
【手続補正書】
【提出日】平成22年6月2日(2010.6.2)
【手続補正１】
【補正対象書類名】特許請求の範囲
【補正対象項目名】全文
【補正方法】変更
【補正の内容】
【特許請求の範囲】
【請求項１】
第１バンドと第２バンドとを組み合わせるバンドアグリケーションをサポートする基地局装置であって、
所望のチャネル品質を満たす前記第１バンドのチャネル行列の固有値の数に基づいて、前記第１バンドのランク数を設定する第１の設定手段と、
前記第１バンドのランク数に応じたチャネル品質を満たす前記第２バンドのチャネル行列の固有値の数に基づいて、前記第２バンドのランク数を設定する第２の設定手段と、
を具備する基地局装置。
【請求項２】
移動局装置が前記第１バンド及び前記第２バンドにおいてパワーリミテッド環境か否か判定する判定手段と、
前記判定手段がパワーリミテッド環境と判定した場合に、前記第１バンドと前記第２バンドとの伝搬損失の差を算出する算出手段と、
前記伝搬損失の差に応じて、前記第２バンドのランク数を補正する補正手段と、を含むランク数補正手段を、更に具備する、
請求項１に記載の基地局装置。
【請求項３】
前記第２の設定手段は、前記第１バンドの周波数帯及びランク数の情報と、前記第２バンドの周波数帯の情報とに基づいて、前記第２バンドのランク数を設定する、
請求項１に記載の基地局装置。
【請求項４】
前記第２の設定手段は、
前記第１バンド及び前記第２バンドのチャネル行列の固有値分布から、前記第１バンドのランク数に応じたチャネル品質を満たす前記第２バンドのチャネル行列の固有値の数を、前記第２バンドのランク数として、前記第１バンドの周波数帯及びランク数と、前記第２バンドの周波数帯とに対応付けて保持する記憶手段を含み、
前記第１バンドの周波数帯及びランク数の情報と、前記第２バンドの周波数帯の情報とに対応付けられた前記第２バンドのランク数を前記記憶手段から取得し、前記第２バンドのランク数として設定する、
請求項３に記載の基地局装置。
【請求項５】
第１バンドと第２バンドとを組み合わせるバンドアグリケーションをサポートする端末装置であって、
所望のチャネル品質を満たす前記第１バンドのチャネル行列の固有値の数に基づいて設定された前記第１バンドのランク数の情報を取得する取得手段と、
前記第１バンドのランク数に応じたチャネル品質を満たす前記第２バンドのチャネル行列の固有値の数に基づいて、前記第２バンドのランク数を設定する第２の設定手段と、
を具備する端末装置。
【請求項６】
移動局装置が前記第１バンド及び前記第２バンドにおいてパワーリミテッド環境か否か判定する判定手段と、
前記判定手段がパワーリミテッド環境と判定した場合に、前記第１バンドと前記第２バンドとの伝搬損失の差を算出する算出手段と、
前記伝搬損失の差に応じて、前記第２バンドのランク数を補正する補正手段と、を含むランク数補正手段を、更に具備する、
請求項５に記載の端末装置。
【請求項７】
前記第２の設定手段は、所望のチャネル品質を満たす前記第１バンドの周波数帯及びランク数の情報と、前記第２バンドの周波数帯の情報とに基づいて、前記第２バンドのランク数を設定する、
請求項５に記載の端末装置。
【請求項８】
前記第２の設定手段は、
前記第１バンド及び前記第２バンドのチャネル行列の固有値分布から、前記第１バンドのランク数に応じたチャネル品質を満たす前記第２バンドのチャネル行列の固有値の数を、前記第２バンドのランク数として、前記第１バンドの周波数帯及びランク数と前記第２バンドの周波数帯とに対応付けて保持する記憶手段を含み、
前記第１バンドの周波数帯及びランク数の情報と、前記第２バンドの周波数帯の情報とに対応付けられた前記第２バンドのランク数を前期記憶手段から取得し、前記第２バンドのランク数として設定する、
請求項７に記載の端末装置。
【請求項９】
第１バンドと第２バンドとを組み合わせるバンドアグリケーションをサポートする無線通信装置において、前記第２バンドのランク数を設定するランク数設定方法であって、
所望のチャネル品質を満たす前記第１バンドのチャネル行列の固有値の数に基づいて設定された前記第１バンドのランク数を取得し、
前記第１バンドのランク数に応じたチャネル品質を満たす前記第２バンドのチャネル行列の固有値の数に基づいて、前記第２バンドのランク数として設定する、
ランク数設定方法。
【手続補正書】
【提出日】平成23年6月21日(2011.6.21)
【手続補正１】
【補正対象書類名】明細書
【補正対象項目名】全文
【補正方法】変更
【補正の内容】
【発明の詳細な説明】
【技術分野】
【０００１】
本発明は、バンドアグリケーション（Band aggregation）をサポートする無線通信システムにおける基地局装置、端末装置及びランク数設定方法に関する。
【背景技術】
【０００２】
移動無線通信システムにおいて、市場の要求と相まって常に高速伝送化のアプローチが検討されてきている。ＬＴＥ（Long Term Evolution）−Ａｄｖａｎｃｅｄにおいては、下りピークデータレートでは１Ｇｂｐｓ、上りピークデータレートでは５００Ｍｂｐｓの達成が求められている（非特許文献１参照）。そのため、例えば、非特許文献２では、高速ピークデータレート達成のために、更なる広帯域化と更なるマルチアンテナ化が検討されている。
【０００３】
更なる広帯域化においては、１００ＭＨｚ帯といった単一バンドで広帯域化を図るよりも、バンド確保の柔軟性を考慮し、複数バンドを組み合わせる広帯域化アプローチが盛んに検討されている。この複数バンドを組み合わせる広帯域化アプローチは、バンドアグリケーションと呼ばれる。以降、バンドアグリケーション前に使用されていたバンドをマスタバンドと呼び、組み合わ（追加）されたバンドを追加バンドと呼ぶ。複数バンドの組み合わせには、図１に示すように、Ｃａｓｅ１）同一キャリア周波数帯内で構成される連続構成と、Ｃａｓｅ２）同一キャリア周波数帯内で構成される非連続構成と、Ｃａｓｅ３）異なるキャリア周波数帯で構成される非連続構成とがある。
【０００４】
一方、更なるマルチアンテナ化においては、空間多重数（ランク数）の増加によって高速伝送化を達成するため、下り回線においては最大４レイヤから最大８レイヤへ、上り回線においては１レイヤから最大４レイヤへ対応できるようなマルチアンテナ化がほぼ決定されている状況である。
【０００５】
このような背景を受けて、バンドアグリケーションとマルチアンテナ化とを組み合わせ、トータルでシステムのスループットを向上させるための検討も開始されている。
【０００６】
しかし、バンドアグリケーションとマルチアンテナ化との組み合わせは、図２に示すように、制御情報のシグナリングがバンド毎に発生し、アンテナ数の増加に対応し制御情報量が増えるため、バンド毎に制御情報量が多いシグナリングを行わなくてはならない。そのため、バンドアグリケーションとマルチアンテナ化との組み合わせは、例えばランク数等の設定パラメータをバンド毎に個別に制御することにより、設定パラメータをバンド毎に最適化することができるものの、シグナリングの増加によりスループットの低下を招くという課題が生じてしまう。このシグナリングの増加は、ＬＴＥ−Ａｄｖａｎｃｅｄ対応端末装置（以下「端末」と略記する）の全てに対して発生するため、トータルで見ると非常に大きな増加となってしまい、広帯域化アプローチにおいて目的としていた、トータルでのシステムスループット向上という効果が得られなくなってしまう。
【０００７】
この課題を解決する単純な方法として、「全ての追加バンドで使用するランク数は、マスタバンドで使用するランク数と同じに設定する」と取り決めておく方法が考えられる。このようにすることで、全ての追加バンドにおけるランク数通知のための制御情報を削減することができる。
【先行技術文献】
【非特許文献】
【０００８】
【非特許文献１】3GPP TR 36.913 v1.0.0
【非特許文献２】3GPP TR 36.814 v0.1.1
【非特許文献３】「ディジタル移動通信の電波伝搬基礎」、p.135〜143、コロナ社
【非特許文献４】「新世代ワイヤレス技術」、p.82、丸善株式会社
【非特許文献５】「アレーアンテナブランチ間に相関が存在する場合のＭＩＭＯチャネル相関行列の最大固有値分布推定（The Largest Eigenvalue Characteristics for MIMO Channel with Spatial Correlation）」,IEICE 論文誌B Vol.J86-B No.9 pp1971-1980
【非特許文献６】"Evaluation Model for LTE-Advanced",3GPP R1-083014
【非特許文献７】ETSI, UMTS TR101 112 v3.2.0, “Selection Procedures for the Choice of Radio Transmission Technologies of the UMTS,” 1998-04.
【発明の概要】
【発明が解決しようとする課題】
【０００９】
しかしながら、追加バンドのランク数をマスタバンドのランク数と同じに設定する場合には、スループットの低下を招く恐れがある。なぜなら、バンド毎に伝搬状況が異なるため、設定された追加バンドのランク数が、実際に追加バンドにおいて使える最適なランク数と必ずしも一致するとは限らないからである。
【００１０】
具体的には、追加バンドのランク数をマスタバンドのランク数と同じに設定すると、（１）設定された追加バンドのランク数が、実際に使えるランク数よりも多かったり、（２）設定された追加バンドのランク数が、実際に使えるランク数よりも少なかったりする場合が生じる。
【００１１】
（１）設定された追加バンドのランク数が、実際に使えるランク数よりも多い場合には、低ＳＮＲ（Signal to Noise Ratio）での伝送によりスループットが低下する。例えば、追加バンド（ｆｃ＝８００ＭＨｚ）ではランク数２が適当であるにも関わらず、追加バンドのランク数をマスタバンドのランク数に揃える前記方法では、マスタバンド（ｆｃ＝３．５ＧＨｚ）におけるランク数が４の場合には、追加バンドにおけるランク数が４となり、低ＳＮＲの不適当な２つのチャネルが使われてデータ伝送されるため、該データの受信性能は悪く、再送の発生確率が非常に高くなり、スループットが低下する。
【００１２】
（２）設定された追加バンドのランク数が、実際に使えるランク数よりも少ない場合には、使用可能なチャネルの制限によりスループットが低下する。例えば、追加バンド（ｆｃ＝３．５ＧＨｚ）ではランク数４が適当であるにも関わらず、前記方法では、マスタバンド（ｆｃ＝８００ＭＨｚ）におけるランク数が２の場合には、追加バンドにおけるランク数を２としてデータ伝送されることになるため、本来十分な性能を確保できる他の２つのチャネルを使ったデータ伝送が行われず、スループットが低下してしまう。
【００１３】
本発明の目的は、バンドアグリケーションをサポートする無線通信システムにおいて、追加バンドのランク数についての制御情報量を削減しつつ、スループットの低下を抑えることができる基地局装置、端末及びランク数設定方法を提供することである。
【課題を解決するための手段】
【００１４】
本発明の基地局装置は、第１バンドと第２バンドとを組み合わせるバンドアグリケーションをサポートする無線通信システムにおける基地局装置であって、所望のチャネル品質を満たす前記第１バンドのチャネル行列の固有値の数に基づいて、前記第１バンドのランク数を設定する第１の設定手段と、前記第１バンドの周波数帯及びランク数の情報と、前記第２バンドの周波数帯の情報とに基づいて、前記第２バンドのランク数を設定する第２の設定手段と、を具備し、前記第２の設定手段は、前記第１バンド及び前記第２バンドのチャネル行列の固有値分布から、前記第１バンドのランク数に応じたチャネル品質を満たす前記第２バンドのチャネル行列の固有値の数をランク数として、前記第１バンドの周波数帯及びランク数と、前記第２バンドの周波数帯とに対応付けて保持する記憶手段を含み、前記第１バンドの周波数帯及びランク数の情報と、前記第２バンドの周波数帯の情報とに対応付けられたランク数を前記記憶手段から取得し前記第２バンドのランク数として設定する構成を採る。
【００１５】
本発明の端末装置は、第１バンドと第２バンドとを組み合わせるバンドアグリケーションをサポートする無線通信システムにおける端末装置であって、所望のチャネル品質を満たす前記第１バンドのチャネル行列の固有値の数に基づいて設定された前記第１バンドのランク数の情報を取得する取得手段と、所望のチャネル品質を満たす前記第１バンドの周波数帯及びランク数の情報と、前記第２バンドの周波数帯の情報とに基づいて、前記第２バンドのランク数を設定する第２の設定手段と、を具備し、前記第２の設定手段は、前記第１バンド及び前記第２バンドのチャネル行列の固有値分布から、前記第１バンドのランク数に応じたチャネル品質を満たす前記第２バンドのチャネル行列の固有値の数を、前記第２バンドのランク数として、前記第１バンドの周波数帯及びランク数と、前記第２バンドの周波数帯とに対応付けて保持する記憶手段を含み、前記第１バンドの周波数帯及びランク数の情報と、前記第２バンドの周波数帯の情報とに対応付けられた前記第２バンドのランク数を前記記憶手段から取得し設定する構成を採る。
【００１６】
本発明のランク数設定方法は、第１バンドと第２バンドとを組み合わせるバンドアグリケーションをサポートする無線通信システムにおいて、前記第２バンドのランク数を設定するランク数設定方法であって、所望のチャネル品質を満たす前記第１バンドのチャネル行列の固有値の数に基づいて設定された前記第１バンドのランク数を取得し、前記第１バンドのランク数に応じたチャネル品質を満たす前記第２バンドのチャネル行列の固有値の数に基づいて、前記第２バンドのランク数として設定するようにした。
【発明の効果】
【００１７】
本発明によれば、バンドアグリケーションをサポートする無線通信システムにおいて、追加バンドのランク数についての制御情報量を削減しつつ、スループットの低下を抑えることができる。
【図面の簡単な説明】
【００１８】
【図１】バンドアグリケーション時の複数バンドの組み合わせ例を示す図
【図２】シグナリングの増加を説明するための図
【図３】本発明に係る無線通信システムの概略図を示す図
【図４】本発明の実施の形態１に係る基地局の構成を示すブロック図
【図５】実施の形態１に係る端末の構成を示すブロック図
【図６】バンド毎の固有値分布を示す図
【図７】追加バンドのランク数の設定方法を説明するための図
【図８】追加バンドランク数設定部のメモリに保持されるランク対応表の一例を示す図
【図９】追加バンドランク数設定部の内部構成を示す図
【図１０】本発明の実施の形態２に係る基地局の構成を示すブロック図
【図１１】実施の形態２に係る端末の構成を示すブロック図
【図１２】追加バンドランク数補正部の内部構成を示す図
【図１３】メモリに保持されるＰＬ算出式の一例を示す図
【図１４】追加バンドランク数補正部のＰＬ差・オフセット値算出部により算出されたオフセットの一例を示す図
【図１５】伝搬損失を考慮した場合のバンド毎の固有値分布を示す図
【図１６】追加バンドのランク数の設定方法を説明するための図
【図１７】本発明に係る無線通信システムの別の概略図を示す図
【発明を実施するための形態】
【００１９】
以下、本発明の実施の形態について、図面を参照して詳細に説明する。
【００２０】
図３は、本実施の形態に係る無線通信システムの概略図を示す図である。図３に示すように、無線通信システムは、マクロセルｅＮＢ（基地局装置（以下「基地局」と略記する））と端末（ＵＥ：User Equipment）とを含み、基地局及び端末は、マスタバンド及び追加バンドを用いて送受信する。なお、以下では、マスタバンド及び追加バンドの周波数帯の情報について、基地局及び端末は、既に共有しているとして説明する。マスタバンド及び追加バンドの周波数帯の決定方法としては、例えば、基地局が端末から送信されるチャネル品質測定用参照信号を受信し、受信品質が良好なバンドから優先的にマスタバンド、追加バンドに割り当てる方法等がある。
【００２１】
（実施の形態１）
図４は、本発明の実施の形態１に係る基地局１００の構成を示すブロック図である。
【００２２】
無線受信部１０２−１〜１０２−ｋは、端末装置から送信されるデータ信号及びチャネル品質測定用参照信号（以下「測定用参照信号」と略記する）をアンテナ１０１−１〜１０１−ｋを介して受信する（ｋは２以上の整数）。無線受信部１０２〜１０２−ｋは、受信した信号に対し、帯域制限、ダウンコンバート、Ａ／Ｄ（Analog to Digital）変換等の無線受信処理を施すことにより、ベースバンド信号に変換し、ベースバンド信号のうち、測定用参照信号をチャネル推定部１０３に出力し、データ信号をＭＩＭＯ（Multiple Input Multiple Output）復調部１０４に出力する。なお、測定用参照信号は、後述の端末からマスタバンド及び追加バンドの双方の周波数帯で送信される。
【００２３】
チャネル推定部１０３は、マスタバンドで送信された測定用参照信号を用いて、各送受信アンテナ間のチャネル行列を推定し、推定したチャネル行列の固有値を算出する。なお、チャネル行列とは、送信アンテナ及び受信アンテナ間のチャネル利得の行列である。また、チャネル行列の固有値とは、チャネル行列をＨと表した場合に、ＨＨ＊（上付き文字＊は、複素共約転置演算を示す）又はＨ＊Ｈの固有値である。ここで、チャネル行列の固有値の数は、空間多重数（ランク数）の最大値に相当する。チャネル推定部１０３は、マスタバンドのチャネル行列の固有値を、マスタバンドランク数設定部１０６に出力する。
【００２４】
ＭＩＭＯ復調部１０４は、データ信号を空間分離し、分離後のデータ信号を復調し、復調後のデータ信号を復号し、復号データをＰ／Ｓ（parallel serial）変換部１０５に出力する。
【００２５】
Ｐ／Ｓ変換部１０５は、復号データをＰ／Ｓ変換して受信データとして出力する。
【００２６】
マスタバンドランク数設定部１０６は、マスタバンドのチャネル行列の固有値に応じて、マスタバンドのランク数を設定する。上述したように、チャネル行列の固有値の数は、空間多重数（ランク数）の最大値に相当する。また、非特許文献３によれば、「固有値はＭＩＭＯ空間分離した各チャネル利得に比例する」ことが知られている。すなわち、固有値の大きさは、チャネル品質を表す指標となる。そこで、マスタバンドランク数設定部１０６は、所望のチャネル品質を満たす固有値の数をマスタバンドの上りデータ送信時のランク数（以下「マスタバンドのランク数」という）に設定する。マスタバンドランク数設定部１０６は、設定したマスタバンドのランク数の情報を、フィードバック情報生成部１０７、追加バンドランク数設定部１０８及び多重系列制御部１０９に出力する。
【００２７】
フィードバック情報生成部１０７は、マスタバンドのランク数の情報を含めたフィードバック情報を生成し、生成したフィードバック情報を多重系列制御部１０９に出力する。
【００２８】
追加バンドランク数設定部１０８はマスタバンドの周波数帯及びランク数と、追加バンドの周波数帯とを用いて、追加バンドの上りデータ送信時のランク数（以下「追加バンドのランク数」という）を設定する。なお、追加バンドランク数設定部１０８の詳細について後述する。追加バンドランク数設定部１０８は、設定した追加バンドのランク数の情報を、多重系列制御部１０９に出力する。
【００２９】
多重系列制御部１０９は、マスタバンド及び追加バンドのランク数に応じて、送信データを複数系列に分配し、ＭＩＭＯ変調部１１０に出力する。なお、多重系列制御部１０９は、フィードバック情報生成部１０７から入力されるマスタバンドのランク数の情報を含むフィードバック情報が、マスタバンドで送信されるよう制御する。
【００３０】
ＭＩＭＯ変調部１１０は、入力される送信データ及びフィードバック情報を符号化、変調し、変調シンボルを生成する。また、ＭＩＭＯ変調部１１０は、変調シンボルを多重し送信ストリームを生成し、生成した送信ストリームを無線送信部１１１−１〜１１１−ｋに出力する。
【００３１】
無線送信部１１１−１〜１１１−ｋは、送信ストリームに対し、Ｄ／Ａ（Digital to Analog）変換、アップコンバート、帯域制限等の無線送信処理を施し、アンテナ１０１−１〜１０１−ｋから送信する。
【００３２】
図５は、本発明の実施の形態１に係る端末２００の構成を示すブロック図である。
【００３３】
無線受信部２０２−１〜２０２−ｋは、対応するアンテナ２０１−１〜２０１−ｋを介して受信した信号に対し、帯域制限、ダウンコンバート、Ａ／Ｄ（Analog to Digital）変換等の無線受信処理を施すことにより、ベースバンド信号に変換し、ベースバンド信号のうちデータ信号をＭＩＭＯ復調部２０３に出力し、フィードバック情報を制御情報取得部２０５に出力する。フィードバック情報には、基地局から通知されるマスタバンドのランク数の情報が含まれている。
【００３４】
ＭＩＭＯ復調部２０３は、データ信号を空間分離し、分離後のデータ信号を復調し、復調後のデータ信号を復号し、復号データをＰ／Ｓ変換部２０４に出力する。
【００３５】
Ｐ／Ｓ変換部２０４は、復号データをＰ／Ｓ変換して受信データとして出力する。
【００３６】
制御情報取得部２０５は、フィードバック情報からマスタバンドのランク数の情報を取得し、マスタバンドのランク数の情報を追加バンドランク数設定部２０６に出力する。
【００３７】
追加バンドランク数設定部２０６は、追加バンドランク数設定部１０８と同様に、マスタバンドの周波数帯及びランク数と、追加バンドの周波数帯とを用いて、追加バンドの上りデータ送信時のランク数（追加バンドのランク数）を設定する。なお、追加バンドランク数設定部２０６の詳細について後述する。追加バンドランク数設定部２０６は、設定した追加バンドのランク数の情報を、多重系列制御部２０７に出力する。
【００３８】
多重系列制御部２０７は、マスタバンド及び追加バンドのランク数に応じて、送信データを複数系列に分配し、ＭＩＭＯ変調部２０８に出力する。
【００３９】
ＭＩＭＯ変調部２０８は、入力される送信データ及び測定用参照信号を符号化、変調し、変調シンボルを生成する。また、ＭＩＭＯ変調部２０８は、変調シンボルを多重し送信ストリームを生成し、生成した送信ストリームを無線送信部２０９−１〜２０９−ｋに出力する。
【００４０】
無線送信部２０９−１〜２０９−ｋは、送信ストリームに対し、Ｄ／Ａ変換、アップコンバート、帯域制限等の無線送信処理を施し、アンテナ２０１−１〜２０１−ｋから送信する。
【００４１】
次に、上述した追加バンドランク数設定部１０８及び追加バンドランク数設定部２０６の詳細について説明する。
【００４２】
非特許文献４によれば、「空間相関がある場合は無い場合に比較して、第１固有値が卓越し、第２固有値以下は相対的に小さくなる」とし、空間相関の有無による固有値分布が図示されている。
【００４３】
また、非特許文献５には、空間相関の大きさに応じて固有値分布が異なることが図示されている。ここで、マクロセルｅＮＢにおける空間相関の大きさは、非特許文献３によれば、周波数に依存することが分かるので、バンド毎に決まった固有値分布があるといえる。
【００４４】
図６に、バンド毎の固有値分布の一例を示す。図６には、８００ＭＨｚ、２．０ＧＨｚ、３．５ＧＨｚ帯における固有値が示されている。図６において、縦軸は固有値の大きさを示し、横軸は、周波数帯を示している。また、λ１、λ２、λ３、λ４は、各固有値を示し、図６は、各バンドにおける４つの固有値の分布を示している。図６から分かるように、８００ＭＨｚ、２．０ＧＨｚ、３．５ＧＨｚ帯における固有値分布は、それぞれ異なっている。これは、バンド異にチャネル相関の大きさが異なるからである。
【００４５】
また、非特許文献３によれば、「固有値はＭＩＭＯ空間分離した各チャネル利得に比例する」ことが知られている。すなわち、固有値の大きさは、チャネル品質を表す指標となる。したがって、「所望のチャネル品質を満たす固有値の数」を、「使えるランク数」と定義すると、バンド毎に決まった固有値分布があるので、あるチャネル品質を満たす固有値の数（使えるランク数）はバンド毎に決まるといえる。
【００４６】
図７の固有値分布を用いて具体例を説明する。図７の固有値分布は、図６に示したバンド毎の固有値分布と同様である。図７において、マスタバンドが８００ＭＨｚ帯の場合に、使っているランク数が２の場合について考える。マスタバンドが８００ＭＨｚ帯において、使っているランク数が２ということは、換言すると、所望のチャネル品質を満たす固有値がλ１とλ２の２つであると言える。すなわち、所望のチャネル品質を満たす固有値の数が２であると言いる。マスタバンドが８００ＭＨｚ帯の場合に、固有値の数が２となる固有値の閾値λ＿Ｔｈを図７に示す。このとき、他のバンドにおいても、固有値が閾値λ＿Ｔｈ以上であれば、マスタバンドにおけるチャネル品質と同程度のチャネル品質を満たすことができる。具体的には、２．０ＧＨｚ帯において、マスタバンドにおける同程度のチャネル品質を満たす固有値は、λ１、λ２、λ３であり、マスタバンドにおける同程度のチャネル品質を満たす固有値の数は３である。また、３．５ＧＨｚ帯において、マスタバンドにおける同程度のチャネル品質を満たす固有値は、λ１、λ２、λ３、λ４であり、マスタバンドにおける同程度のチャネル品質を満たす固有値の数は４である。
【００４７】
図８にマスタバンドのランク数と追加バンドのランク数との対応表（以下「ランク対応表」という）を示す。図８は、各バンドにおける固有値分布が図６に示したような分布である場合のランク対応表である。上述したように、マスタバンドが８００ＭＨｚ帯であり、使っているランク数が２、つまり、所望のチャネル品質を満たす固有値の数が２の場合、マスタバンドのチャネル品質は、図７に示した閾値λ＿Ｔｈ付近であると予想される。閾値λ＿Ｔｈと他のバンドの固有値分布とから、追加バンド２．０ＧＨｚ帯では、固有値がλ１、λ２、λ３の場合には、追加バンドにおいても、マスタバンドと同程度のチャネル品質を得ることができると分かる。同様に、追加バンド３．５ＧＨｚ帯での固有値がλ１、λ２、λ３、λ４の場合には、追加バンドにおいても、マスタバンドと同程度のチャネル品質を得ることができると分かる。
【００４８】
図８は、各バンドの固有値分布が図７に示すような関係にある場合に、マスタバンドのチャネル品質と同程度のチャネル品質を確保することができる追加バンドの固有値の数を、追加バンドのランク数に設定した例である。すなわち、マスタバンドが８００ＭＨｚ帯であり、使っているランク数が２の場合、追加バンド２．０ＧＨｚ帯においてマスタバンドと同程度のチャネル品質を得ることができる固有値は、λ１、λ２、λ３の３個であるので、追加バンド２．０ＧＨｚ帯に対してはランク数３が対応付けられている。同様に、追加バンド３．５ＧＨｚ帯においてマスタバンドと同程度のチャネル品質を得ることができる固有値は、λ１、λ２、λ３、λ４の４個であるので、追加バンド３．５ＧＨｚ帯に対してはランク数４が対応付けられている。
【００４９】
このようにして、図８のように、マスタバンドのチャネル品質と同程度のチャネル品質を確保することができる追加バンドの固有値の数を、追加バンドのランク数に設定し、マスタバンドのランク数と追加バンドのランク数とのランク対応表を生成する。これにより、基地局及び端末は、マスタバンドの周波数帯及びランク数、追加バンドの周波数帯の情報を用いて、ランク対応表から、マスタバンドと同程度のチャネル品質を満たす追加バンドのランク数を、精度良く設定することが出来る。
【００５０】
なお、基地局１００と端末２００と間の通信確立時に、基地局１００が上記ランク対応表を端末２００に通知する等により、予め上記ランク対応表を基地局１００と端末２００とが共有するようにする。
【００５１】
次に、追加バンドランク数設定部１０８及び追加バンドランク数設定部２０６の内部構成について説明する。追加バンドランク数設定部２０６は、追加バンドランク数設定部１０８と同様であるため、以下では、追加バンドランク数設定部１０８について説明する。
【００５２】
図９は、追加バンドランク数設定部１０８の内部構成を示すブロック図である。
【００５３】
バンド判定部１０８１は、マスタバンドの周波数帯を入力とし、マスタバンドの周波数帯に応じて、対応番号をアドレス生成部１０８３に出力する。バンド判定部１０８２は、追加バンドの周波数帯を入力とし、追加バンドの周波数帯に応じて、対応番号をアドレス生成部１０８３に出力する。
【００５４】
アドレス生成部１０８３は、マスタバンドの対応番号、追加バンドの対応番号及びマスタバンドのランク数から、図８のランク対応表におけるアドレスを生成し、生成したアドレスをメモリ１０８４に出力する。メモリ１０８４は、入力されたアドレスに対応する追加バンドのランク数をランク対応表から取得し出力する。このようにして、追加バンドランク数設定部１０８は、追加バンドのランク数を設定する。
【００５５】
例えば、マスタバンドが８００ＭＨｚ帯の場合、バンド判定部１０８１は、対応番号として“１”を出力し、追加バンドが２．０ＧＨｚ帯の場合、バンド判定部１０８２は、対応番号として“２”を出力する。したがって、マスタバンドのランク数が２の場合、アドレス生成部１０８３は、アドレスとして“１２２”を生成する。そして、追加バンドランク数設定部１０８は、メモリ１０８４内に格納される図９のアドレス“１２２”に対応する“３”を追加バンドのランク数に設定する。
【００５６】
このようにして、追加バンドランク数設定部１０８は、マスタバンドが８００ＭＨｚ帯であり、マスタバンドのランク数が２の場合、追加バンドが２．０ＧＨｚ帯の場合には使えるランク数を３と設定し、３．５ＧＨｚ帯の場合には使えるランク数を４と設定する。
【００５７】
以上のように、本実施の形態では、基地局１００は、所望のチャネル品質を満たすマスタバンドのチャネル行列の固有値の数に基づいて、前記マスタバンドのランク数を設定するマスタバンドランク数設定部１０６と、マスタバンドの周波数帯及びランク数の情報と、追加バンドの周波数帯の情報とに基づいて、追加バンドのランク数を設定する追加バンドランク数設定部１０８と、を具備し、追加バンドランク数設定部１０８は、マスタバンド及び追加バンドのチャネル行列の固有値分布から、マスタバンドのランク数に応じたチャネル品質を満たす追加バンドのチャネル行列の固有値の数を、ランク数として、マスタバンドの周波数帯及びランク数と、追加バンドの周波数帯とに対応付けて保持するメモリ１０８４を含み、マスタバンドの周波数帯及びランク数の情報と、追加バンドの周波数帯の情報とに対応付けられたランク数をメモリ１０８４から取得し、追加バンドのランク数として設定するようにした。
【００５８】
また、端末２００は、所望のチャネル品質を満たすマスタバンドのチャネル行列の固有値の数に基づいて設定されたマスタバンドのランク数の情報を取得する制御情報取得部２０５と、マスタバンドの周波数帯及びランク数の情報と、追加バンドの周波数帯の情報とに基づいて、追加バンドのランク数を設定する追加バンドランク数設定部２０６と、を具備し、追加バンドランク数設定部２０６は、マスタバンド及び追加バンドのチャネル行列の固有値分布から、マスタバンドのランク数に応じたチャネル品質を満たす追加バンドのチャネル行列の固有値の数を、ランク数として、マスタバンドの周波数帯及びランク数と、追加バンドの周波数帯とに対応付けて保持するメモリ１０８４を含み、マスタバンドの周波数帯及びランク数の情報と、追加バンドの周波数帯の情報とに対応付けられたランク数をメモリ１０８４から取得し、追加バンドのランク数として設定するようにした。
【００５９】
これにより、基地局１００は、端末２００に、追加バンドのランク数の情報を通知せずとも、端末２００は、追加バンドに最適なランク数を設定することができるので、バンドアグリケーション時における制御情報量を削減しつつ、追加バンドにおけるスループットを向上させることができる。
【００６０】
（実施の形態２）
実施の形態１では、バンド毎にチャネル行列の固有値分布が存在し、あるチャネル品質を満たす固有値の数（使えるランク数）はバンド毎に異なるという特徴に着目し、追加バンドランク数設定部１０８（２０６）は、マスタバンドの周波数帯及びランク数と、追加バンドの周波数帯とを用いて、追加バンドのランク数を設定するようにした。
【００６１】
ところで、非特許文献６又は非特許文献７等には、ＰＬ（Pass Loss：伝搬損失、パスロス）式が記載されており、これらＰＬ式より、「周波数が高いほど伝搬損失が大きい」ということが知られている。つまり、同じ送信電力で送信した場合には、周波数が高いほど受信端での受信パワーは小さくなり、これは等価的に、周波数が高いほどチャネル品質が低下するとみなせる。したがって、伝搬損失を考慮すると、周波数が高いほど伝搬損失が大きく、チャネル品質が低下するため、固有値分布は周波数が高いほど全体的に小さい値にシフトする。
【００６２】
本実施の形態では、伝搬損失を考慮した固有値分布に従って、追加バンドのランク数を設定する場合について説明する。
【００６３】
図１０は、本実施の形態に係る基地局３００の要部構成を示すブロック図である。なお、図１０の本実施の形態に係る端末において、図４と共通する構成部分には、図４と同一の符号を付して説明を省略する。図１０は、図４に対して、多重系列制御部１０９に代えて多重系列制御部１０９Ａを備え、パワー制御値設定部３０１及び追加バンドランク数補正部３０２を追加した構成を採る。
【００６４】
パワー制御値設定部３０１は、後述の端末から通知されるマスタバンド及び追加バンドのＰＨＲ（Power Head Room）の情報を取得する。ここで、ＰＨＲとは、端末の現在の送信電力と最大送信電力との差であり、ＰＨＲが小さいほど、端末がパワーリミテッド環境にあることを示す。パワーリミテッド環境とは、端末が、最大送信電力に近い状況で送信しており、送信電力余裕度がないような環境をいう。
【００６５】
パワー制御値設定部３０１は、マスタバンド及び追加バンドにおける受信信号の信号電力、及び、マスタバンド及び追加バンドのＰＨＲを用いて、端末のマスタバンドのパワー制御値及び追加バンドのパワー制御値を設定する。パワー制御値設定部３０１は、設定したこれらパワー制御値の情報を多重系列制御部１０９Ａに出力する。また、パワー制御値設定部３０１は、取得したマスタバンド及び追加バンドのＰＨＲを、追加バンドランク数補正部３０２に出力する。
【００６６】
多重系列制御部１０９Ａは、多重系列制御部１０９の動作に加え、マスタバンドのパワー制御値の情報がマスタバンドで送信されるよう制御し、追加バンドのパワー制御値の情報が追加バンドで送信されるよう制御する。
【００６７】
追加バンドランク数補正部３０２は、追加バンドのランク数を補正する。なお、追加バンドランク数補正部３０２の詳細については、後述する。
【００６８】
図１１は、本実施の形態に係る端末４００の要部構成を示すブロック図である。なお、図１１の本実施の形態に係る端末において、図５と共通する構成部分には、図５と同一の符号を付して説明を省略する。図１１は、図５に対して、制御情報取得部２０５及び多重系列制御部２０７に代えて制御情報取得部２０５Ａ及び多重系列制御部２０７Ａを備え、ＰＨＲ算出部４０１及び追加バンドランク数補正部４０２を追加した構成を採る。
【００６９】
制御情報取得部２０５Ａは、基地局３００から通知されるパワー制御値を取得し、取得したパワー制御値をＰＨＲ算出部４０１に出力する。
【００７０】
ＰＨＲ算出部４０１は、パワー制御値に応じて、マスタバンドのＰＨＲ及び追加バンドのＰＨＲを算出する。ＰＨＲ算出部４０１は、算出したマスタバンドのＰＨＲ及び追加バンドのＰＨＲの情報を多重系列制御部２０７Ａ及び追加バンドランク数補正部４０２に出力する。
【００７１】
多重系列制御部２０７Ａは、多重系列制御部２０７の動作に加え、マスタバンドのＰＨＲをマスタバンドで送信し、追加バンドのＰＨＲの情報を追加バンドで送信するよう制御する。
【００７２】
追加バンドランク数補正部４０２は、追加バンドのランク数を補正する。なお、追加バンドランク数補正部４０２は、追加バンドランク数補正部３０２と同様の構成を採る。以下に、追加バンドランク数補正部３０２及び追加バンドランク数補正部４０２の内部構成及び動作について説明する。追加バンドランク数補正部４０２の内部構成及び動作は、追加バンドランク数補正部３０２と同様であるため、以下では、追加バンドランク数補正部３０２について説明する。
【００７３】
図１２に、追加バンドランク数補正部３０２の内部構成を示す。
【００７４】
パワーリミテッド環境判定部３０２１は、マスタバンドのＰＨＲ及び追加バンドのＰＨＲを入力とし、端末４００がパワーリミテッド環境であるか否かを判定する。具体的には、パワーリミテッド環境判定部３０２１は、マスタバンドのＰＨＲ及び追加バンドのＰＨＲを所定の閾値と比較し、マスタバンドのＰＨＲ及び追加バンドのＰＨＲのうちいずれかひとつでも所定の閾値以下の場合、端末４００がパワーリミテッド環境であると判定する。パワーリミテッド環境判定部３０２１は、判定結果をＰＬ差・オフセット値算出部３０２２に出力する。
【００７５】
ＰＬ差・オフセット値算出部３０２２は、マスタバンドの周波数帯、追加バンドの周波数帯、及び、パワーリミテッド環境判定部３０２１の判定結果を入力とし、判定結果がパワーリミテッド環境を示す場合、メモリ３０２３に保持されているＰＬ算出式を用いて、マスタバンドに対する追加バンドの相対的なＰＬ差（ΔＰＬ）を算出する。メモリ３０２３に保持されるＰＬ算出式の一例を図１３に示す。
【００７６】
更に、ＰＬ差・オフセット値算出部３０２２は、算出したＰＬ差（ΔＰＬ）と内部に保持するランク対応表とを用いて、追加バンドのランク数を補正するためのオフセットを算出する。ＰＬ差（ΔＰＬ）からオフセットへの変換は、例えば、以下のように、ＰＬ差（ΔＰＬ）が大きいほどオフセットが大きくなるようにする。
｜ΔＰＬ｜≧１５．０ｄＢ        ⇒  オフセット＝３
１５．０｜ΔＰＬ｜≧８．０ｄＢ  ⇒  オフセット＝２
８．０＞｜ΔＰＬ｜≧３．０ｄＢ  ⇒  オフセット＝１
３．０＞｜ΔＰＬ｜≧０．０ｄＢ  ⇒  オフセット＝０
【００７７】
このようにしてＰＬ差・オフセット値算出部３０２２により算出されたオフセットの一例を、図１４に示す。なお、図１４は、追加バンドの周波数帯がマスタバンドの周波数帯より高い場合にのみ、オフセットが設定された例である。追加バンドの周波数帯がマスタバンドの周波数帯より高い場合には、追加バンドランク数設定部１０８（２０６）は、追加バンドの伝搬損失より伝搬損失が小さいマスタバンドのランク数を用いて、追加バンドのランク数を設定するため、追加バンドのランク数が実際に使えるランク数よりも大きく設定されてしまう可能性がある。したがって、図１４に示すように、追加バンドの周波数帯がマスタバンドの周波数帯より高い場合のみオフセットを用いて、追加バンドランク数設定部１０８（２０６）によって設定された追加バンドのランク数を減らすような補正をすることにより、追加バンドにおいて、低ＳＮＲの不適当なチャネルが使われてデータ伝送されるのを回避することができ、再送を防止し、スループットの低下を抑えることができるようになる。
【００７８】
一方、追加バンドの周波数帯がマスタバンドの周波数帯よりも低い場合には、追加バンドランク数設定部１０８（２０６）は、追加バンドの伝搬損失より伝搬損失が大きいマスタバンドのランク数を用いて、追加バンドのランク数を設定するため、追加バンドのランク数が実際に使えるランク数よりも小さく設定されてしまう可能性がある。したがって、追加バンドランク数設定部１０８（２０６）によって設定された追加バンドのランク数を増やすような補正をすることにより、使えるチャネルを最大限に利用することができる可能性がある一方、ランク数を増やしたことにより、低ＳＮＲの不適当な悪いチャネルが使われる可能性もある。そのため、本実施の形態では、図１４に示すように、追加バンドの周波数帯がマスタバンドの周波数帯より低い場合には、オフセットを設定しないようにした。これにより、実際には使えるチャネルがまだある場合には、スループットが低下してしまうものの、低ＳＮＲの不適当なチャネルが使われてデータ伝送されるのを確実に回避し、再送を防止することができる。
【００７９】
ＰＬ差・オフセット値算出部３０２２は、算出したオフセット値を補正部３０２４に出力する。
【００８０】
なお、パワーリミテッド環境判定部３０２１の判定結果がパワーリミテッド環境でないことを示す場合、ＰＬ差・オフセット値算出部３０２２は、オフセット値として０を補正部３０２４に出力する。
【００８１】
補正部３０２４は、オフセット値及び追加バンドランク数設定部２０６において設定された追加バンドのランク数を入力とし、追加バンドランク数からオフセット値分だけ減算することにより、追加バンドのランク数を補正する。更に、補正部３０２４は、式（１）を用いて、最終的なランク数を算出し、算出した最終的なランク数を追加バンドのランク数として多重系列制御部２０７Ａに出力する。
【００８２】
最終的なランク数＝Ｍａｘ｛補正後のランク数，１｝…（１）
なお、式（１）において、Ｍａｘ｛ａ，ｂ｝は、ａとｂのうち大きい値を返す関数である。
【００８３】
このようにして、伝搬損失を考慮して、追加バンドのランク数を補正することにより、チャネル行列の固有値分布は、図１５のように、周波数が高いほど固有値が小さい値に分布するように補正されることになる。この結果、マスタバンドが８００ＭＨｚ帯であり、マスタバンドのランク数が２の場合に、伝搬損失を考慮しない場合には、追加バンド３．５ＧＨｚ帯において、マスタバンドと同程度のチャネル品質を満たす固有値は、λ１、λ２、λ３、λ４の４個であったのに対し、伝搬損失を考慮し固有値分布を補正することにより、図１６に示すように、マスタバンドと同程度のチャネル品質を満たす固有値は、λ１、λ２の２個となる。これにより、追加バンド３．５ＧＨｚ帯のランク数は２となるので、不適当な（低ＳＮＲである）チャネルが使われてデータ伝送されるのを回避することができ、再送を防止し、スループットの低下を抑えることができるようになる。
【００８４】
以上のように、本実施の形態によれば、追加バンドランク数補正部３０２（４０２）は、端末４００がマスタバンド及び追加バンドにおいてパワーリミテッド環境か否か判定するパワーリミテッド環境判定部３０２１と、ＰＬ差・オフセット値算出部３０２２は、パワーリミテッド環境判定部３０２１がパワーリミテッド環境と判定した場合に、マスタバンドと追加バンドとの伝搬損失の差を算出し、補正部３０２４は、伝搬損失の差に応じて、追加バンドのランク数を補正するようにした。
【００８５】
このように、本実施の形態では、マスタバンドと追加バンドとの伝搬損失の差を考慮して、マスタバンドの周波数帯及びランク数と追加バンドの周波数帯とを用いて設定された追加バンドのランク数を補正することができるので、追加バンドにおいて、不適当な（低ＳＮＲである）チャネルが使われてデータ伝送されるのを回避することができ、再送を防止し、スループットの低下を抑えることができるようになる。
【００８６】
なお、以上の説明では、マクロセルｅＮＢ対端末におけるバンドアグリケーション（Band aggregation）時の追加バンドのランク数を暗黙的に通知する方法について説明したが、追加バンドのランク数に限られず、図１７に示すように、複数局対端末における、従局のランク数を暗黙的に通知する方法に、本発明を適用することもできる。
【００８７】
また、バンドアグリケーション（Band aggregation）は、キャリアアグリケーション（Carrier Aggregation）と呼ばれることもある。
【００８８】
また、上記実施の形態ではアンテナとして説明したが、本発明はアンテナポート（antenna port）でも同様に適用できる。
【００８９】
アンテナポートとは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【００９０】
例えば３ＧＰＰ  ＬＴＥにおいては、アンテナポートが何本の物理アンテナから構成されるかは規定されず、基地局が異なる参照信号（Reference signal）を送信できる最小単位として規定されている。
【００９１】
また、アンテナポートはプリコーディングベクトル（Precoding vector）の重み付けを乗算する最小単位として規定されることもある。
【００９２】
また、上記実施の形態では、本発明をハードウェアで構成する場合を例にとって説明したが、本発明はソフトウェアで実現することも可能である。
【００９３】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００９４】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【００９５】
さらには、半導体技術の進歩または派生する別技術によりＬＳＩに置き換わる集積回路化の技術が登場すれば、当然、その技術を用いて機能ブロックの集積化を行ってもよい。
バイオ技術の適用等が可能性としてありえる。
【００９６】
２００９年２月１８日出願の特願２００９−０３５６１６に含まれる明細書、図面及び要約書の開示内容は、すべて本願に援用される。
【産業上の利用可能性】
【００９７】
本発明は、バンドアグリケーションをサポートする無線通信システムにおける基地局装置、端末装置及びランク数設定方法等として有用である。
【符号の説明】
【００９８】
１００、３００  基地局
１０１−１〜１０１−ｋ、２０１−１〜２０１−ｋ  アンテナ
１０２〜１０２−ｋ、２０２−１〜２０２−ｋ  無線受信部
１０３  チャネル推定部
１０４、２０３  ＭＩＭＯ復調部
１０５、２０４  Ｐ／Ｓ変換部
１０６  マスタバンドランク数設定部
１０７  フィードバック情報生成部
１０８、２０６  追加バンドランク数設定部
１０９、１０９Ａ、２０７、２０７Ａ  多重系列制御部
１１０、２０８  ＭＩＭＯ変調部
１１１−１〜１１１−ｋ、２０９−１〜２０９−ｋ  無線送信部
１０８１、１０８２  バンド判定部
１０８３  アドレス生成部
１０８４、３０２３  メモリ
２００、４００  端末
２０５、２０５Ａ  制御情報取得部
３０１  パワー制御値設定部
３０２  追加バンドランク数補正部
４０１  ＰＨＲ算出部
４０２  追加バンドランク数補正部
３０２１  パワーリミテッド環境判定部
３０２２  ＰＬ差・オフセット値算出部
３０２４  補正部
【手続補正２】
【補正対象書類名】特許請求の範囲
【補正対象項目名】全文
【補正方法】変更
【補正の内容】
【特許請求の範囲】
【請求項１】
第１バンドと第２バンドとを組み合わせるバンドアグリケーションをサポートする基地局装置であって、
所望のチャネル品質を満たす前記第１バンドのチャネル行列の固有値の数に基づいて、前記第１バンドのランク数を設定する第１の設定手段と、
前記第１バンドのランク数に応じたチャネル品質を満たす前記第２バンドのチャネル行列の固有値の数に基づいて、前記第２バンドのランク数を設定する第２の設定手段と、
を具備する基地局装置。
【請求項２】
移動局装置が前記第１バンド及び前記第２バンドにおいてパワーリミテッド環境か否か判定する判定手段と、
前記判定手段がパワーリミテッド環境と判定した場合に、前記第１バンドと前記第２バンドとの伝搬損失の差を算出する算出手段と、
前記伝搬損失の差に応じて、前記第２バンドのランク数を補正する補正手段と、を含むランク数補正手段を、更に具備する、
請求項１に記載の基地局装置。
【請求項３】
前記第２の設定手段は、前記第１バンドの周波数帯及びランク数の情報と、前記第２バンドの周波数帯の情報とに基づいて、前記第２バンドのランク数を設定する、
請求項１に記載の基地局装置。
【請求項４】
前記第２の設定手段は、
前記第１バンド及び前記第２バンドのチャネル行列の固有値分布から、前記第１バンドのランク数に応じたチャネル品質を満たす前記第２バンドのチャネル行列の固有値の数を、前記第２バンドのランク数として、前記第１バンドの周波数帯及びランク数と、前記第２バンドの周波数帯とに対応付けて保持する記憶手段を含み、
前記第１バンドの周波数帯及びランク数の情報と、前記第２バンドの周波数帯の情報とに対応付けられた前記第２バンドのランク数を前記記憶手段から取得し、前記第２バンドのランク数として設定する、
請求項３に記載の基地局装置。
【請求項５】
第１バンドと第２バンドとを組み合わせるバンドアグリケーションをサポートする端末装置であって、
所望のチャネル品質を満たす前記第１バンドのチャネル行列の固有値の数に基づいて設定された前記第１バンドのランク数の情報を取得する取得手段と、
前記第１バンドのランク数に応じたチャネル品質を満たす前記第２バンドのチャネル行列の固有値の数に基づいて、前記第２バンドのランク数を設定する第２の設定手段と、
を具備する端末装置。
【請求項６】
移動局装置が前記第１バンド及び前記第２バンドにおいてパワーリミテッド環境か否か判定する判定手段と、
前記判定手段がパワーリミテッド環境と判定した場合に、前記第１バンドと前記第２バンドとの伝搬損失の差を算出する算出手段と、
前記伝搬損失の差に応じて、前記第２バンドのランク数を補正する補正手段と、を含むランク数補正手段を、更に具備する、
請求項５に記載の端末装置。
【請求項７】
前記第２の設定手段は、所望のチャネル品質を満たす前記第１バンドの周波数帯及びランク数の情報と、前記第２バンドの周波数帯の情報とに基づいて、前記第２バンドのランク数を設定する、
請求項５に記載の端末装置。
【請求項８】
前記第２の設定手段は、
前記第１バンド及び前記第２バンドのチャネル行列の固有値分布から、前記第１バンドのランク数に応じたチャネル品質を満たす前記第２バンドのチャネル行列の固有値の数を、前記第２バンドのランク数として、前記第１バンドの周波数帯及びランク数と前記第２バンドの周波数帯とに対応付けて保持する記憶手段を含み、
前記第１バンドの周波数帯及びランク数の情報と、前記第２バンドの周波数帯の情報とに対応付けられた前記第２バンドのランク数を前期記憶手段から取得し、前記第２バンドのランク数として設定する、
請求項７に記載の端末装置。
【請求項９】
第１バンドと第２バンドとを組み合わせるバンドアグリケーションをサポートする無線通信装置において、前記第２バンドのランク数を設定するランク数設定方法であって、
所望のチャネル品質を満たす前記第１バンドのチャネル行列の固有値の数に基づいて設定された前記第１バンドのランク数を取得し、
前記第１バンドのランク数に応じたチャネル品質を満たす前記第２バンドのチャネル行列の固有値の数に基づいて、前記第２バンドのランク数として設定する、
ランク数設定方法。
【手続補正３】
【補正対象書類名】図面
【補正対象項目名】全図
【補正方法】変更
【補正の内容】
【図１】
2010095429.tif 000020
【図２】
2010095429.tif 000021
【図３】
2010095429.tif 000022
【図４】
2010095429.tif 000023
【図５】
2010095429.tif 000024
【図６】
2010095429.tif 000025
【図７】
2010095429.tif 000026
【図８】
2010095429.tif 000027
【図９】
2010095429.tif 000028
【図１０】
2010095429.tif 000029
【図１１】
2010095429.tif 000030
【図１２】
2010095429.tif 000031
【図１３】
2010095429.tif 000032
【図１４】
2010095429.tif 000033
【図１５】
2010095429.tif 000034
【図１６】
2010095429.tif 000035
【図１７】
2010095429.tif 000036
【国際調査報告】
2010095429.tif 000037
2010095429.tif 000038
2010095429.tif 000039
2010095429.tif 000040